(57)【要約】【課題】コネクタの接続を失敗しないよう容易に接続可能にするための構造を提供する。【解決手段】携帯電話機（携帯通信機器）の第２の筐体における端子部を露出させるための挿入口を備えたイヤホン用凹部（接続用凹部）を覆うためのイヤホンマイク端子カバー１０に、イヤホン用凹部を覆い、第２の筐体表面と略連続した表面を形成するカバー本体２０と、このカバー本体２０の外周の外方向に突出して形成され、イヤホン用凹部の側面に接触し、圧入しながら挿入される側方突起部２１とを設ける。【選択図】図４
2007028055.tif 000002
【特許請求の範囲】
【請求項１】
携帯通信機器の筐体に設けられ、端子部を露出させるための挿入口を備えた接続用凹部を覆うための端子カバーであって、
上記接続用凹部を覆い、筐体表面と略連続した表面を形成するカバー本体と、
上記カバー本体の外周の外方向に突出して形成され、上記接続用凹部の側面に接触し、圧入しながら挿入される側方突起部とを備えていることを特徴とする携帯通信機器の端子カバー。
【請求項２】
上記側方突起部は、上記カバー本体の一端側の裏面に形成されていることを特徴とする請求項１に記載の携帯通信機器の端子カバー。
【請求項３】
上記側方突起部を複数備え、該複数の側方突起部の各々は、上記カバー本体の外周に沿って互いに等間隔に配置されていることを特徴とする請求項１又は２に記載の携帯通信機器の端子カバー。
【請求項４】
上記携帯通信機器のカバー本体を回動可能に保持するための軸本体を備えていることを特徴とする請求項１乃至３のいずれか１つに記載の携帯通信機器の端子カバー。
【請求項５】
上記軸本体は上記側方突起部と反対側の他端の裏面に形成されていることを特徴とする請求項４に記載の携帯通信機器の端子カバー。
【請求項６】
上記軸本体近傍を除くカバー本体裏面の側方突起部の周辺には、補強用リブが設けられていることを特徴とする請求項５に記載の携帯通信機器の端子カバー。
【請求項７】
上記軸本体は、円柱部と、該円柱部よりも先端側に該円柱部よりも大きな径を有する大径部とを備えていることを特徴とする請求項４乃至６のいずれか１つに記載の携帯通信機器の端子カバー。
【請求項８】
上記軸本体の円柱部の軸方向中間部には、該円柱部の周辺に略全周にわたり周囲よりも隆起した凸条の段部が設けられていることを特徴とする請求項７に記載の携帯通信機器の端子カバー。
【請求項９】
上記軸本体の円柱部の軸方向中間部には、該円柱部の周辺に略全周にわたり周囲よりも隆起した凸条の段部が設けられ、該段部と上記大径部とをつなぐ縦リブが形成されていることを特徴とする請求項７に記載の携帯通信機器の端子カバー。
【請求項１０】
上記縦リブを少なくとも３つ有し、該縦リブが、円柱部の周辺に均等間隔で配置されていることを特徴とする請求項９に記載の携帯通信機器の端子カバー。
【請求項１１】
上記軸本体を挿入する筐体の軸挿通孔の内径は、上記円柱部の外径よりも大きく、上記段部の外径よりも小さいことを特徴とする請求項８乃至１０のいずれか１つに記載の携帯通信機器の端子カバー。
【請求項１２】
上記軸本体は、上記大径部から先端に向かって外径が減少する傾斜部を有していることを特徴とする請求項７乃至１１のいずれか１つに記載の携帯通信機器の端子カバー。
【請求項１３】
カバー本体の側方突起部の表面側に指掛用突起部を備えていることを特徴とする請求項１乃至１２のいずれか１つに記載の携帯通信機器の端子カバー。
【請求項１４】
エラストマー又はゴムの少なくとも一方よりなることを特徴とする請求項１乃至１３のいずれか１つに記載の携帯通信機器の端子カバー。
【請求項１５】
上記携帯通信機器におけるイヤホンマイク用の端子部を覆う端子カバーであることを特徴とする請求項１乃至１４のいずれか１つに記載の携帯通信機器の端子カバー。
【請求項１６】
上記携帯通信機器におけるカード挿入口を覆う端子カバーであることを特徴とする請求項１乃至１４のいずれか１つに記載の携帯通信機器の端子カバー。
【請求項１７】
上記携帯通信機器における充電用の端子部を覆う端子カバーであることを特徴とする請求項１乃至１４のいずれか１つに記載の携帯通信機器の端子カバー。
【請求項１８】
上記携帯通信機器は携帯電話機であることを特徴とする請求項１乃至１７のいずれか１つに記載の携帯通信機器の端子カバー。
【請求項１９】
端子挿入口を備えた接続用凹部を有する携帯通信機器本体と、
上記接続用凹部を覆うための請求項１乃至１７のいずれか１つに記載の携帯通信機器用の端子カバーとを備えることを特徴とする携帯通信機器。
【発明の詳細な説明】
【技術分野】
【０００１】
本発明は、携帯通信機器に関し、特にその端子やカード挿入口を覆うカバーに関するものである。
【背景技術】
【０００２】
従来、携帯通信機器は、充電用の端子部や、カード挿入口や、マイク端子を挿入するためのマイク端子部などを備え、それらを蓋によって覆っている。このような携帯通信機器では、充電をするときには、蓋を開いてコネクタを差し込んで充電し、また、カード使用時は、蓋を開閉して挿抜し、使用しないときは蓋をする。また、マイク端子を挿入するときも、蓋を開閉して挿抜し、使用しないときは蓋をするようにしている。
【０００３】
これらの蓋は、弾性を持つゴム製品で構成されているのが一般的であるが、蓋の外観の色調、艶を合わせることを重視した樹脂成形品とゴムとを組み合わせたものも存在する。
【０００４】
また、蓋は、筐体の一部に凹部溝を設け、蓋をしたとき丁度溝を埋め込む形状にし、見映えをよくするよう工夫されている。
【０００５】
例えば、特許文献１には、電子機器本体とコネクタカバーとからなり、電子機器本体のコネクタカバーの固定部分にコネクタカバーを嵌合挿入するための案内溝を設け、その案内溝の中にコネクタカバーを嵌合固定するための凸部を設けるものが記載されている。このコネクタカバーには、電子機器本体の案内溝に相対する舌片が設けられ、その舌片には、電子機器本体の凸部に相対する凹部と電子機器本体の凸部を容易にコネクタカバーの凹部に導くための案内斜面とが設けられている。これにより、電子機器本体の案内溝に合わせてコネクタカバーが挿入され、コネクタカバーの案内斜面に導かれて電子機器本体の凸部が凹部に嵌合し、コネクタカバーが電子機器本体に固定される。
【０００６】
また、特許文献２には、先端部分に引っ掛け爪が形成された突起部を有するコネクタカバーと、突起部が挿入される孔が形成されて該孔を突起部の先端部分が通過した先に上記引っ掛け爪を係止するリブが形成された係止部とを備える携帯端末機器が記載されている。この突起部の先端部分には溝が設けられており、突起部の先端部分は、溝の方向に収縮して上記係止部の孔を通過するように構成されている。このことで、コネクタカバーの抜け落ちを防止するとともに、製造工程におけるコネクタカバーの組み込み性の容易化及び取り扱い性の向上を図っている。
【０００７】
また、特許文献３には、筐体下部に外部入出力などを行うコネクタ及びこのコネクタを覆うコネクタカバーが設けられ、このコネクタカバーには、コネクタから外されているときに紛失しないように、小型無線機との間にコネクタ保持部が設けられたものが記載されている。
【０００８】
また、特許文献４には、携帯電話無線機本体の端子部を覆うカバーに、端子部を保護するキャップ部と、無線機本体側の突起を中心に回動自在に嵌合する嵌合孔とを設けるものが記載されている。このカバーでは、端子部を使用しないときには、キャップ部が折れ曲がって端子部を保護し、端子部を使用するときには、カバーが突起を中心に回転して無線機本体の収納凹部に収納され、さらに電池によって押圧されて狭持される。
【特許文献１】特開平１０−６４６１５号公報（図１）
【特許文献２】特開２００３−２５８９６４号公報（図３）
【特許文献３】特開２００４−２２１９１１号公報（図４）
【特許文献４】特開２００２−３４４６０４号公報（図２）
【発明の開示】
【発明が解決しようとする課題】
【０００９】
しかし、上記従来の端子カバーでは、外部機器との接続の容易化が考慮されていないという問題がある。
【００１０】
すなわち、上記特許文献１乃至３では、外部機器との接続時にはコネクタカバーを開き、一方の指で開いた状態を保ちながらコネクタを接続するようになる。このときコネクタカバーが指から外れ、コネクタカバーが再び閉じてしまうことが度々あり、何回もコネクタの接続を試みなくてはならないという問題がある。
【００１１】
また、上記特許文献４では、カバーが再び閉じるという問題はないものの電池によってカバーを押さえつけなければならず、操作が面倒という問題がある。
【００１２】
本発明は、かかる点に鑑みてなされたものであり、その目的とするところは、コネクタの接続を失敗しないよう容易に外部機器と接続可能にするための構造を提供することにある。
【課題を解決するための手段】
【００１３】
上記の目的を達成するために、上記第１の発明では、本発明の携帯通信機器の筐体に設けられ、端子部を露出させるための挿入口を備えた接続用凹部を覆うための端子カバーを対象とする。
【００１４】
そして、この端子カバーは、上記接続用凹部を覆い、筐体表面と略連続した表面を形成するカバー本体と、上記カバー本体の外周の外方向に突出して形成され、上記接続用凹部の側面に接触し、圧入しながら挿入される側方突起部とを備えている。
【００１５】
これにより、側方突起部は凹部側面に接触し、圧入されながら挿入されるので、端子カバーは、軽い力で凹部側面に固定される。
【００１６】
第２の発明では、側方突起部は端子カバーの一端側の裏面に形成されている。
【００１７】
これにより、端子カバーが凹部側面から容易に外される。
【００１８】
第３の発明では、上記側方突起部を複数備え、該複数の側方突起部の各々は、上記カバー本体の外周に沿って互いに等間隔に配置されている。
【００１９】
これにより、側方突起部から端子カバーに対して均等な力が加えられ、凹部に安定して配置される。
【００２０】
第４の発明では、上記携帯通信機器のカバー本体を回動可能に保持するための軸本体を備えている。
【００２１】
これにより、端子カバーが軸本体を中心に回転可能に構成され、凹部の端子を外す際に端子カバー全体を外す必要がなくなる。
【００２２】
第５の発明では、軸本体は側方突起部とは反対側の他端の裏面に形成されている。
【００２３】
これにより、端子カバーは、側方突起部を外した後、軸本体を中心に回転される。
【００２４】
第６の発明では、上記軸本体近傍を除くカバー本体裏面の側方突起部の周辺には、補強用リブが設けられている。
【００２５】
これにより、カバー本体における側方突起部周辺の剛性に比べ、補強用リブのない軸本体周辺の剛性が小さいので、軸本体周辺が曲がりやすくなり、小さい力で側方突起部が持ち上げられて端子の挿入が行われる。
【００２６】
第７の発明では、軸本体は、円柱部と、該円柱部よりも先端側に該円柱部よりも大きな径を有する大径部とを有する。
【００２７】
これにより、円柱部を携帯通信機器の筐体に設けた軸挿通孔に挿入することにより、端子カバーが回転可能に保持され、また、軸本体が筐体に設けた軸挿通孔から抜ける出すのが防止される。
【００２８】
第８の発明では、上記軸本体の円柱部の軸方向中間部には、該円柱部の周辺に略全周にわたり周囲よりも隆起した凸条の段部が設けられている。
【００２９】
第９の発明では、上記軸本体の円柱部の軸方向中間部には、該円柱部の周辺に略全周にわたり周囲よりも隆起した凸条の段部が設けられ、該段部と大径部とをつなぐ縦リブが形成されている。
【００３０】
第１０の発明では、上記縦リブを少なくとも３つ有し、該縦リブが、円柱部の周辺に均等間隔で配置されている。
【００３１】
第１１の発明では、上記軸本体を挿入する筐体の軸挿通孔の内径は、上記円柱部の外径よりも大きく、上記段部の外径よりも小さいものとなっている。
【００３２】
これにより、端子カバーを蓋するとき、段部が筐体の軸挿通孔に圧入され、安定した嵌合が可能になり、且つ端子カバーを外すときには、段部を筐体の軸挿通孔から引き上げて軸挿通孔から取り外すことにより、回転が可能になる。そして、縦リブにより回転の途中の自由なところで止めることができる。
【００３３】
第１２の発明では、該軸本体は該大径部から先端に向かって外径が減少する傾斜部を有している。
【００３４】
これにより、軸本体を筐体の軸挿通孔に通す際に大径部が変形しやすくなり、大径部を容易に軸挿通孔に通すことができる。
【００３５】
第１３の発明では、端子カバーの側方突起部の表面側に指掛用突起部を備えている。
【００３６】
これにより、端子カバーを接続用凹部から取り外す際に、指掛用突起部に指を掛けることにより、端子カバーを接続用凹部に対する脱着が容易になる。
【００３７】
第１４の発明では、エラストマー又はゴムの少なくとも一方よりなる。
【００３８】
これらの材料は適度な曲げや変形が可能で、携帯通信機器の端子カバーの材料として適している。
【００３９】
第１５の発明では、携帯通信機器におけるイヤホンマイク端子を覆う端子カバーとする。また、第１６の発明の携帯通信機器の端子カバーは、携帯通信機器におけるカード挿入口を覆う端子カバーとする。また、第１７の発明の携帯通信機器の端子カバーは、携帯通信機器における充電端子を覆う端子カバーとする。
【００４０】
これらの発明によると、イヤホンマイク用端子、カード挿入口又は充電用端子の防塵、防水が可能になり、且つ必要に応じ外部端子の接続が可能になる。
【００４１】
第１８の発明では、携帯通信機器は携帯電話機である。
【００４２】
これにより、携帯電話機の携帯性が増す。
【００４３】
第１９の発明の携帯通信機器は、端子挿入口を備えた接続用凹部を有する携帯通信機器本体と、上記接続用凹部を覆うための携帯通信機器用の端子カバーとを備えている。
【００４４】
これにより、接続用凹部に蓋をしやすい携帯通信機器が得られる。
【発明の効果】
【００４５】
本発明の携帯通信機器の端子カバー及びこれを備えた携帯通信機器によれば、端子カバーの脱着と端子の接続とを容易に行うことができる。
【発明を実施するための最良の形態】
【００４６】
以下、本発明の実施形態について、図に基づいて説明する。
【００４７】
図１は、本発明の実施形態に係る携帯通信機器としての携帯電話機１の開いた状態を右方向から見た斜視図である。図２は、図１の左方向からの斜視図である。
【００４８】
図１及び図２に示すように、本実施形態の携帯電話機１は、第１の筐体２と、第２の筐体３とを有し、これらがヒンジ部５によって回転可能に結合されている。
【００４９】
上記第１の筐体２には、液晶表示部４及び受話部６が設けられている。
【００５０】
上記第２の筐体３には、送話部７、情報入力ボタン８、機能ボタン９が設置されている。この第２の筐体３は、イヤホンマイク端子を挿入するための挿入口１３ａ（図１２にのみ示す）を備えたイヤホン用凹部１３を備えている。また、詳しくは図示しないが、第２の筐体３は、カード用凹部１８と、充電端子挿入口の充電用凹部１９とを備えている。すなわち、イヤホン用凹部１３は第２の筐体３の右側面キャビ１２に、カード用凹部１８は第２の筐体３の左側面キャビ１６に、充電用凹部１９はヒンジ部５と反対側の第２の筐体３の下側側面に形成されている。イヤホン用凹部１３は、イヤホンマイク端子カバー１０で、カード用凹部１８はカードカバー１４で、充電用凹部１９は充電端子カバー１１でそれぞれ開閉自在に閉じられている。
【００５１】
図３は、携帯電話機１の閉じた状態を示す右方向からの斜視図である。同図に示すように、携帯電話機１の閉じた状態の表面には、通常時には時計表示をし、着信があったときには着信者の表示をするためのサブ液晶表示部１５と、閉じた状態でカードに記録された音楽を聴くためのオーディオボタン１７とが形成されている。
【００５２】
次に、上記イヤホンマイク端子カバー１０について詳細に説明する。図４乃至図７は、本発明の実施形態におけるイヤホンマイク端子カバー１０の形状を示す図である。図４はイヤホンマイク端子カバー１０を裏面から見た斜視図、図５は図６のＡ−Ａ線で切断した部分を拡大して示す斜視図、図６は側面図、図７は表面から見た斜視図である。
【００５３】
図４乃至図７に示すように、イヤホンマイク端子カバー１０は、ＴＰＥ（Thermoplastic-Elastomer）やＴＰＥＥ（Thermoplastic-Polyester-Elastomer）などのゴム含有プラスチック樹脂（エラストマー）又はゴムよりなっている。イヤホンマイク端子カバー１０は、カバー本体２０と、側方突起部２１と、底部側突起部２４と、半球状突起部２５と、指掛用突起部２６と、軸本体３０とを備えている。
【００５４】
上記カバー本体２０は、略長方形の平板形状で、１辺が円弧状の円弧部２７からなり、他の３辺は直線形状をなしている。このカバー本体２０は、イヤホン用凹部１３に嵌合する形状を有している。カバー本体２０の円弧部２７は、イヤホンマイク（図示せず）を挿入するときにイヤホン用凹部１３内で軸本体３０を中心に回転するために、弧形状をなしている。表面には、イヤホンマイクのマーク２８が施されている。裏面には、カバー本体２０の一部の剛性を高めるために軸本体３０近傍を除く周囲において平面視略矩形枠状の補強用リブ２２が設けられている。これにより、イヤホンマイク端子カバー１０を開く際に、補強用リブ２２が設けられずに周囲よりも剛性が低い円柱部３１の近辺でカバー本体２０が曲がるように構成されている。
【００５５】
上記イヤホンマイク端子カバー１０でイヤホン用凹部１３に蓋をした後に、側方突起部２１がイヤホン用凹部１３内で変形し、抵抗となってイヤホンマイク端子カバー１０が勝手に開くのを防止するように構成されている。なお、側方突起部２１は均等な間隔で設けられているので、イヤホン用凹部１３内の周囲で均一な抵抗が発生するようになっている。
【００５６】
上記軸本体３０と反対側端部の補強用リブ２２には、底部側突起部２４が突設されている。この底部側突起部２４に合わせてイヤホン用凹部１３の側面に係合用凹部（図示せず）が形成されている。この係合用凹部に底部側突起部２４の先端の爪を引っ掛けるようにしている。
【００５７】
上記カバー本体２０の補強用リブ２２には、複数の半球状突起部２５が形成されている。この半球状突起部２５は半球形状をなしているため、小さな弾性力を有しており、底部側突起部２４の先端がイヤホン用凹部１３内で係合用凹部に引っ掛かったときのクリアランスを保つ役目を有している。
【００５８】
上記カバー本体２０の軸本体３０と反対側端部の表面の１辺には、指掛用突起部２６が設けられている。この指掛用突起部２６により、イヤホンマイク端子カバー１０が容易に開くように構成されている。
【００５９】
上記軸本体３０は、円柱部３１と、大径部３２と、傾斜部３３と、段部３４、縦リブ３５とを備えている。図５に示すように、縦リブ３５は４個設けられているが、３個以上であれば、いくつ設けてもよい。
【００６０】
図８及び図９に示すように、上記第２の筐体３の内側部材を構成する本体キャビ４１には、イヤホン用凹部１３の底面に位置する軸挿通孔４２が形成されている。
【００６１】
上記軸本体３０の円柱部３１は、上記軸挿通孔４２に挿入された状態で、回転可能になっている。この軸挿通孔４２の内径は、円柱部３１よりも大きく、段部３４、縦リブ３５の外接円の直径及び大径部３２よりも小さいものとなっている。
【００６２】
次に、本実施形態に係るイヤホンマイク端子カバー１０の作用について説明する。
【００６３】
まず、イヤホンマイク端子カバー１０をイヤホン用凹部１３に取り付ける際は、最初に傾斜部３３の斜面が軸挿通孔４２を通過する途中で止まり、さらに無理に押さえ込むと大径部３２が変形し、該軸挿通孔４２を通過する（図１０及び図１１参照）。さらに押さえ込むと、段部３４が軸挿通孔４２を通過し（図８及び図９参照）、側方突起部２１、底部側突起部２４、半球状突起部２５は、イヤホン用凹部１３の内壁で圧縮され、摩擦抵抗となり、イヤホンマイク端子カバー１０が固定される。
【００６４】
一方、上記イヤホンマイク端子カバー１０を開く際には、指掛用突起部２６を指で捲るように摩擦しながらはぐるか、イヤホンマイク端子カバー１０と右側面キャビ１２の間に爪を挿入しながら開く。次に浮いたイヤホンマイク端子カバー１０の先端を指で摘みながら回転させると、右側面キャビ１２が梃子の支点となり、軸本体３０の段部３４が軸挿通孔４２を通過して図１０及び図１１に示すように縦リブ３５がイヤホン用凹部１３の底面に設けられた軸挿通孔４２に止まる。縦リブ３５の外接円はイヤホン用凹部１３の底面に設けられた軸挿通孔４２よりも大きいため、軽い摩擦で止まった状態になる。これにより、イヤホンマイク端子カバー１０が元のイヤホン用凹部１３内に戻ることはないので、イヤホンマイクの挿入が容易になる。
【００６５】
したがって、本実施形態に係るに端子カバーよると、端子カバーの脱着と端子の接続とを容易に行うことができる。
【００６６】
（その他の実施形態）
本発明は、上記実施形態について、以下のような構成としてもよい。
【００６７】
すなわち、上記実施形態では、イヤホン用凹部１３を覆うイヤホンマイク端子カバー１０について説明したが、カード用凹部１８や充電用凹部１９を覆うカードカバー１４や充充電端子カバー１１にも本発明が適用できる。
【００６８】
なお、以上の実施形態は、本質的に好ましい例示であって、本発明、その適用物や用途の範囲を制限することを意図するものではない。
【産業上の利用可能性】
【００６９】
以上説明したように、本発明は、イヤホンマイク端子などを覆う携帯通信機器の端子カバー及びそれを備えた携帯通信機器について有用である。
【図面の簡単な説明】
【００７０】
【図１】本発明の実施形態に係る携帯電話機の開いた状態を示す右方向からの斜視図である。
【図２】図１の左方向からの斜視図である。
【図３】携帯電話機の閉じた状態を示す右方向からの斜視図である。
【図４】イヤホンマイク端子カバーを裏面から見た斜視図である。
【図５】イヤホンマイク端子カバーのＡ部切断面を拡大して示す斜視図である。
【図６】イヤホンマイク端子カバーを示す側面図である。
【図７】イヤホンマイク端子カバーを表面から見た斜視図である。
【図８】イヤホンマイク端子カバーの閉じた状態を示す側方断面図である。
【図９】図８のＢ部拡大断面図である。
【図１０】イヤホンマイク端子カバーが浮き上がった状態を示す側方断面図である。
【図１１】図１０のＣ部拡大断面図である。
【図１２】イヤホンマイク端子カバーを取り外したときの携帯電話機を示す斜視図である。
【符号の説明】
【００７１】
１      携帯電話機（携帯通信機器）
３      第２の筐体
１０      イヤホンマイク端子カバー
１１      充電端子カバー
１２      右側面キャビ
１３      イヤホン用凹部（接続用凹部）
１３ａ    挿入口
１４      カードカバー
１８      カード用凹部（接続用凹部）
１９      充電用凹部（接続用凹部）
２０      カバー本体
２１      側方突起部
２２      補強用リブ
２５      半球状突起部
２６      指掛用突起部
３０      軸本体
３１      円柱部
３２      大径部
３３      傾斜部
３４      段部
３５      縦リブ
４２      軸挿通孔
【図１】
2007028055.tif 000003
【図２】
2007028055.tif 000004
【図３】
2007028055.tif 000005
【図４】
2007028055.tif 000006
【図５】
2007028055.tif 000007
【図６】
2007028055.tif 000008
【図７】
2007028055.tif 000009
【図８】
2007028055.tif 000010
【図９】
2007028055.tif 000011
【図１０】
2007028055.tif 000012
【図１１】
2007028055.tif 000013
【図１２】
2007028055.tif 000014